(57)【特許請求の範囲】
【請求項１】
圧縮され、データを識別するための情報を付加された映像信号の複数が多重化された多重化信号を受信する受信装置であって、
上記多重化信号を復調する復調部と、
バックグラウンド信号を発生させるバックグラウンド信号発生部と、
上記復調部より得られる上記複数の画像と上記バックグラウンド信号とを合成し、上記複数の画像の表示形態を切り換えるための出力変換部と、
ユーザからの指示によって受信側で形成される受信側表示制御信号を上記出力変換部に供給して、同一画面上に表示させる上記複数の画像の表示形態を制御する制御部とを備え、
上記制御部は、電源が投入されたとき、又は、チャンネル切り換えがなされたときには、上記送信側表示制御信号を用いて制御を行う
ことを特徴とする受信装置。
【請求項２】
請求項１記載の受信装置において、
上記出力変換部からの信号が供給される表示部を有することを特徴とする受信装置。
【請求項３】
請求項１記載の受信装置において、
上記映像信号によって構成される複数の画像は、同一番組における異なる画像であることを特徴とする受信装置。
【請求項４】
圧縮され、データを識別するための情報を付加された複数の画像を構成する映像信号と上記複数の画像を同一画面上に表示する場合の上記画像の表示形態を制御する送信側表示制御信号を含む多重化信号を受信する受信装置であって、
上記多重化信号を復調する復調部と、
バックグラウンド信号を発生させるバックグラウンド信号発生部と、
上記復調部より得られる上記複数の画像と上記バックグラウンド信号とを合成し、上記複数の表示形態を切り換えるための出力変換部と、
上記送信側表示制御信号とユーザからの指示によって受信側で形成される受信側表示制御信号を選択的に上記出力変換部に供給して、同一画面上に表示させる上記複数の画像の表示形態を制御する制御部とを備え、
上記制御部は、電源が投入されたとき、又は、チャンネル切り換えがなされたときには、上記送信側表示制御信号を用いて制御を行う
ことを特徴とする受信装置。
【発明の詳細な説明】
【０００１】
【産業上の利用分野】
本発明は、例えばデジタルテレビジョン放送を受信する場合に使用して好適な受信装置に関するものである。
【０００２】
【従来の技術】
例えば放送衛星を用いたデジタルテレビジョン放送が実施されている。このようなデジタルテレビジョン放送においては、１チャンネル当たり例えば約２０Ｍｂｐｓの伝送能力が設けられ、いわゆる高精細度テレビジョン（ＨＤＴＶ）信号の伝送も可能なように設計が行われている。
【０００３】
そこで例えばこのようなデジタルテレビジョン放送において、従来の標準精細度のテレビジョン（ＳＤＴＶ）信号を伝送する場合には、画像圧縮等の技術によって１つのＳＤＴＶ信号を約５Ｍｂｐｓ程度に圧縮することが可能であり、上述の１チャンネルの放送で４つのＳＤＴＶ信号を伝送することができる。従って現行のデジタルテレビジョン放送においては、１チャンネルの放送で４つのＳＤＴＶ信号を伝送することが実施されている。
【０００４】
すなわちその場合に送信側では、例えば４つのＳＤＴＶ信号は、それぞれが垂直解像度（有効走査線数）４８０本（画素）、水平解像度（有効水平画素数）７２０画素で形成される。そしてこれらのＳＤＴＶ信号がそれぞれ動き補償ＤＣＴ符号化方式等で符号化され、それぞれが約５Ｍｂｐｓに圧縮される。さらにこれらの圧縮された符号化データに、識別のためのヘッダー情報や同期情報等が付加され、これらの情報等の付加された符号化データの４つが多重化されて約２０Ｍｂｐｓのビット列が形成される。
【０００５】
そしてこのビット列が所定の変調キャリアで例えばＱＰＳＫ変調された後、例えば放送衛星に向けて変調された電波が送信される。なお複数のチャンネルで放送が行われる場合には、それぞれのチャンネルごとに、例えば上述の多重化された約２０Ｍｂｐｓのビット列が形成され、これらのビット列がそれぞれ異なる変調キャリアで例えばＱＰＳＫ変調された後、例えば放送衛星に向けて変調された電波が送信される。
【０００６】
このようなデジタルテレビジョン放送に対して、従来の受信装置では例えば図６に示すようにして受信が行われていた。すなわち上述の放送衛星から再送信された電波が、図示せずもパラボラアンテナ等の受信アンテナで受信されてアンテナ端子１０１に供給される。そしてこのアンテナ端子１０１からの信号が復調器１０２に供給される。
【０００７】
また視聴者からの任意の選択信号等が入力端子１０３を通じて制御回路１０４に供給される。そしてこの制御回路１０４からの制御信号が復調器１０２に供給されて、入力された選択信号等に従って、復調器１０２で復調されるチャンネルの選択、及びそのチャンネル中からの復号されるＳＤＴＶ信号の選択が行われる。
【０００８】
さらにこの選択されたＳＤＴＶ信号の復調信号が復号器１０５に供給されて、選択された１チャンネル中で伝送される例えば４つのＳＤＴＶ信号の内の一つが復号される。そしてこの復号信号がＤ／Ａ変換回路１０６に供給されてアナログ信号に変換され、変換されたアナログ信号が出力端子１０７に取り出される。
【０００９】
これによって上述の従来の受信装置では、視聴者によって選択されたチャンネルが復調器１０２で復調され、その復調された１チャンネル中から選択されたＳＤＴＶ信号が復号器１０５で復号されて出力端子１０７に取り出される。なおこの出力端子１０７には、図示せずもモニター受像機等が接続されて、出力端子１０７に取り出された映像信号の映出等が行われる。
【００１０】
【発明が解決しようとする課題】
ところで例えば上述のデジタルテレビジョン放送において、上述の１チャンネルで放送される４つのＳＤＴＶ信号を統合して用いることが考えられている。これにより、例えば野球等の中継において、通常の中継の画像（メイン画像）のＳＤＴＶ信号と共に、ピッチャー、バッター、ランナー等を個別に撮影した画像のＳＤＴＶ信号をそれぞれ伝送するなど、種々の新しい形態の放送を行うことが考えられる。
【００１１】
このような放送に対して上述の従来の受信装置では、視聴者が任意の画像を選択することによって、ピッチャー、バッター、ランナーなどの画像を視聴者の興味に合わせて鑑賞することができる。しかしながらこのような鑑賞をする場合において、他の画像がどのようになっているかを常に観視していたいという要求も生じていた。
【００１２】
そこで例えば上述の受信装置において、復号器１０５を複数並列に設けることによって、同じチャンネル中で伝送される複数のＳＤＴＶ信号を同時に得ることができる。そしてこのような複数のＳＤＴＶ信号の画像を１つの画面に合成して表示することが考えられた。すなわちこのような合成を行うことによって、例えば図７に示すように画面を上下左右に４分割して、これらの分割された画面に上述の４つの画像をそれぞれ表示することができる。
【００１３】
これによって例えばメイン、ピッチャー、バッター、ランナーの画像を同時に鑑賞することができる。しかしこの画面では全ての画像が均等に表示されている。このため視聴者の興味の大きい画像も小さい画像も同じ大きさで表示され、視聴者の興味に合わせた鑑賞とはいい難いものであった。また放送の制作者側においても、特に注目して欲しい画像などが存在している場合がある。
【００１４】
この出願はこのような点に鑑みて成されたものであって、解決しようとする問題点は、従来の受信装置では全ての画像が均等に表示されるために、視聴者の興味や制作者の意図などを表示に反映されなかったというものである。
【００１５】
【課題を解決するための手段】
このため本発明においては、複数の画像の表示形態を切り替えるための出力変換部に対して、伝送信号に多重化された送信側表示制御信号と、受信側で形成される受信側表示制御信号とを選択的に供給するようにしたものである。
【００１６】
【作用】
これによれば、視聴者の興味に従った受信側表示制御信号と制作者の意図に従った送信側表示制御信号とによって複数の画像の表示形態が切り替えられるので、視聴者の興味や制作者の意図を反映した画面の表示を行うことができる。
【００１７】
【実施例】
以下、本発明の一実施例について説明するに、本発明は複数の画像を構成する映像信号と画像の表示形態を制御する送信側表示制御信号を含む多重化信号を受信する受信装置であって、多重化信号を復調する復調部と、復調部より得られる複数の画像の表示形態を切り替えるための出力変換部と、送信側表示制御信号及び受信側で形成される受信側表示制御信号を選択的に出力変換部に供給して複数の画像の表示形態を制御する制御部とを有することを特徴とする受信装置である。
【００１８】
そこで図１は、本発明による受信装置を、例えばデジタルテレビジョン放送（約２０Ｍｂｐｓ）において１チャンネルで複数のＳＤＴＶ信号（垂直４８０本（画素）、水平７２０画素、約５Ｍｂｐｓ）が放送衛星を通じて放送されている場合に適用した装置の一例の構成を示すブロック図である。
【００１９】
この図１において、パラボラアンテナ等の受信アンテナ（図示せず）からの信号がアンテナ端子１に供給され、このアンテナ端子１からの信号が復調器２に供給される。また視聴者からの任意の遠隔操作装置（図示せず）等による選択信号等が入力端子３を通じて制御回路４に供給される。そしてこの制御回路４で形成された制御信号が復調器２に供給されて、入力された選択信号等に従って復調器２で復調されるチャンネルの選択等が行われる。
【００２０】
これによって復調器２では入力された選択信号等に従って選択されたチャンネルで伝送された上述の約２０Ｍｂｐｓのビット列が復調される。この復調器２で復調された復調信号が分離回路５に供給され、選択されたチャンネル中の例えば４つのＳＤＴＶ信号の符号化データ（約５Ｍｂｐｓ）が分離される。さらに分離回路５では、分離された符号化データ中のヘッダー情報等が検出され、このヘッダー情報等と上述の制御回路４に入力された選択信号等に従って、視聴者が目的とする符号化データ（ＳＤＴＶ信号）が選択される。そしてこれらの選択されたＳＤＴＶ信号がそれぞれ復号器６、７、８、９に供給される。
【００２１】
これらの復号器６〜９で復号されたＳＤＴＶ信号がそれぞれ出力変換回路の一部を構成する画素変換回路１０、１１、１２、１３に供給される。この変換回路１０〜１３では、それぞれ必要に応じてフィルタ処理や時間軸変換処理、さらに任意の縦横変倍を含む画像の拡大、縮小等の画素の変換が行われる。また例えばグレー一色のバックグラウンド（ＢＧ）信号の発生回路１４が設けられ、この発生回路１４からのバックグラウンド信号と変換回路１０〜１３からの変換されたＳＤＴＶ信号が出力変換回路の一部を構成する合成回路１５に供給される。
【００２２】
さらにこの合成回路１５において、制御回路４からの制御信号に従って、発生回路１４からのバックグラウンド信号と変換回路１０〜１３からの変換されたＳＤＴＶ信号が面積的に合成される。すなわち上述の変換回路１０〜１３にはそれぞれ画像メモリが設けられ、発生回路１４には所定の色信号に相当するデータのレジスタが設けられている。そしてこれらのメモリを所定のタイミングで読み出し、読み出された画像データとレジスタからのデータを合成回路１５で所定のタイミングで切り替えることによって、これらの画像が面積的に合成される。
【００２３】
こうして合成されたデジタル信号がＤ／Ａ変換回路１６に供給されてアナログ信号に変換され、変換されたアナログ信号が出力端子１７に取り出される。さらに分離回路５で分離された同期信号が同期発生回路１８に供給され、復調器２で復調されたチャンネルの処理に必要な同期信号等が発生される。この同期信号等が制御回路４と、復号器６〜９及び変換回路１０〜１３、発生回路１４に供給されて、それぞれの回路が同期して必要な処理等が行われる。
【００２４】
そしてさらにこの装置において、分離回路５で分離された符号化データ中のヘッダー情報等に含まれる送信側表示制御信号が制御回路４に供給される。さらにこの送信側表示制御信号と、例えば入力端子３を通じて供給される受信側で形成された受信側表示制御信号とが、例えば入力端子３を通じて供給される選択信号によって選択され、この選択された送信側または受信側表示制御信号に従って変換回路１０〜１３での画素数の変換及び合成回路１５での合成が行われる。
【００２５】
従ってこの装置において、例えば上述の野球等の中継において、通常の中継の画像（メイン画像）のＳＤＴＶ信号と共に、ピッチャー、バッター、ランナー等を個別に撮影した画像のＳＤＴＶ信号がそれぞれ伝送されている場合には、例えば図２のＡに示すように画面を４分割し、上述の４つの画像（メイン、ピッチャー、バッター、ランナー）を各分割に合成して表示することができる。
【００２６】
そしてこの場合に、接続されるモニタ受像機が例えば有効走査線数１０８０本（画素）、有効水平画素数１４４０画素の高精細度の画面を有するものであった場合には、例えば変換回路１１〜１４での画素数の変換は行わずに、上述の垂直４８０画素、水平７２０画素の解像度のＳＤＴＶ信号をそのまま縦横に合成することによって、垂直９６０画素、水平１４４０画素の画面が形成され、垂直方向に１２０画素（走査線）を余して全ての伝送画像を表示することができる。
【００２７】
なお上述の余りの部分は、例えば画面の上下端に垂直６０画素、水平１４４０画素ずつ分割して発生回路１５からの例えばグレー一色のバックグラウンド（ＢＧ）信号等が設けられる。あるいはこのバックグラウンド信号等は３分割して、例えば垂直４０画素、水平１４４０画素ずつを、画面の上下端と、上下の画像の間にも設けることができる。
【００２８】
そしてさらに例えば上述の野球等の中継において、視聴者の興味や制作者の意図に応じて上述の受信側表示制御信号または送信側表示制御信号が形成されることによって、例えば図３に示すように任意の画像（ピッチャー）が拡大されて表示が行われるようにすることができる。
【００２９】
すなわちこの例においては、例えば変換回路１２、１３においてピッチャーの画像とバッターの画像の画素数が、それぞれ垂直水平方向に１．５倍に拡大され、それぞれ垂直７２０画素、水平１０８０画素の画像が形成される。また変換回路１１、１４においてメインの画像とランナーの画像の画素数が、それぞれ垂直水平方向に０．５倍に縮小され、それぞれ垂直２４０画素、水平３６０画素の画像が形成される。
【００３０】
そして例えば表示画面上の上部の１２０水平走査期間は例えばグレー一色のバックグラウンド（ＢＧ）信号等が設けられる。次の２４０水平走査期間は前半の１０８０画素期間にバッターの画像、後半の３６０画素期間にランナーの画像が設けられる。さらに次の４８０水平走査期間は前半の３６０画素期間にバッターの画像、後半の１０８０画素期間にピッチャーの画像が設けられる。さらに下部の２４０水平走査期間は前半の３６０画素期間にメインの画像、後半の１０８０画素期間にピッチャーの画像が設けられる。このようにして例えば図３の画面を合成することができる。
【００３１】
なお上述の例で、受信側または送信側表示制御信号においては、例えばそれぞれの画像についてその表示開始位置（左上隅の座標）と表示サイズ（水平垂直の画素数）が設定される。あるいは表示サイズについては、標準サイズ（例えば垂直４８０画素、水平７２０画素）を定めて、この標準サイズからの拡大／縮小率を設定するようにしてもよい。また上述の例では例えばピッチャーの画像とバッターの画像が重なって表示されているが、この部分の表示は優先順位を表示制御信号の一部とするか、伝送される画像の順番に従って後のものほど上位となるようにしてもよい。
【００３２】
そしてこのような表示制御信号は、例えば送信側で形成された表示制御信号は符号化データ中のヘッダー情報等に挿入されて、分離回路５から制御回路４に供給される。また受信側では以下に述べる各手段によって形成された表示制御信号が入力端子３を通じて制御回路４に供給される。
【００３３】
すなわち受信側で表示制御信号を形成する手段としては、例えばマウス、トラックボール等のポインティングデバイスと２〜３個のクリックスイッチを組み合わせて、１のスイッチを確定釦とすると共に、２のスイッチを押しながらポイントを指示することで画像をドラッグしたり、３のスイッチを押しながらポイントを指示することで画像を拡大縮小することができる。なお１のスイッチは除いて２、３のスイッチの操作で兼ねさせることもできる。
【００３４】
あるいは、縦横左右を指示する十字キーとスイッチを設けた操作パッドや、キーボード、さらにタッチセンサーを用いて表示面に直接指やペンを触れて画像の表示位置やサイズの指定を行うこともできる。またこれらの操作パッドやマウスは例えば赤外線を利用してワイアレスに形成することもできる。また例えば赤外線のビームの方向を検出して指示を入力するシステムや、音声認識によって例えば「１の画面消えろ」「２の画面大きくなれ」のように音声で指示を行うようにすることもできる。
【００３５】
そしてこのような受信側または送信側表示制御信号によって、例えば図４、図５に示すような各種の表示を行うことができる。すなわち図４のＡ〜Ｃは２つの画像▲１▼、▲２▼をいわゆるピクチャーインピクチャー形式で表示するもので、この場合に画像▲１▼、▲２▼の入れ換えや子画面の表示位置も任意に指定することができる。また４つの画像▲１▼〜▲４▼に対しては、例えば図４のＤに示すように画像▲１▼を大きく表示し、その脇に画像▲２▼〜▲４▼を表示することもできる。
【００３６】
さらに図５のＡに示すように４つの画像▲１▼〜▲４▼を４分割した画面にそれぞれ表示することもできる。この場合に各画像▲１▼〜▲４▼の表示される位置は任意に定めることができる。この他、図５のＢ〜Ｄに示すようにそれぞれ変化に富んだ表示画面を形成することができる。
【００３７】
また上述の送信側表示制御信号においては、上述のように詳細な制御信号を伝送することは行わずに、例えば図４のＤ及び図５のＡに示す表示形態を代表として、これらの選択情報のみを伝送することによっても制作者の意図を反映した表示を行うことができるものである。このような代表的な表示形態の選択は、受信側においても同様に選択されるようにしてもよい。また受信側で形成された受信側表示制御信号は、例えばメモリーに記憶して所望時に呼び出せるようにしてもよい。
【００３８】
従ってこの装置において、従来の受信装置では全ての画像が均等に表示されるために、視聴者の興味や制作者の意図などを表示に反映されなかったものを、複数の画像の表示形態を切り替えるための出力変換部に対して、伝送信号に多重化された送信側表示制御信号と、受信側で形成される受信側表示制御信号とを選択的に供給するようにしたことにより、視聴者の興味や制作者の意図を反映した画面の表示を行うことができる。
【００３９】
こうして上述の受信装置によれば、圧縮され、データを識別するための情報を付加された映像信号の複数が多重化された多重化信号を受信する装置であって、多重化信号を復調する復調部と、バックグラウンド信号を発生させるバックグラウンド信号発生部と、復調部より得られる複数の画像とバックグラウンド信号とを合成し、複数の画像の表示形態を切り換えるための出力変換部と、ユーザからの指示によって受信側で形成される受信側表示制御信号を出力変換部に供給して、同一画面上に表示させる複数の画像の表示形態を制御する制御部とを備え、制御部は、電源が投入されたとき、又は、チャンネル切り換えがなされたときには、送信側表示制御信号を用いて制御を行うことにより、視聴者の興味に従った受信側表示制御信号と制作者の意図に従った送信側表示制御信号とによって複数の画像の表示形態が切り替えられるので、視聴者の興味や制作者の意図を反映した画面の表示を行うことができるものである。
【００４０】
なお上述の装置において、出力端子１７に得られる映像信号をカラー陰極線管に供給することによって、いわゆるテレビジョン受像機を形成することができる。
【００４１】
また上述の送信側表示制御信号と受信側表示制御信号は、例えば電源投入時や、チャンネルの切り換え時等にはいずれかが優先されるように設定される。この優先順位は予め設定されるか、視聴者が任意に定められるようにすることもできる。
【００４２】
さらに上述のような表示形態の制御は、例えば野球等の中継において、通常の中継の画像（メイン画像）のＳＤＴＶ信号と共に、ピッチャー、バッター、ランナー等を個別に撮影した画像のＳＤＴＶ信号がそれぞれ伝送されているような、同一番組における異なる画像である場合に特に有効である。
【００４３】
【発明の効果】
この発明によれば、複数の画像の表示形態を切り替えるための出力変換部に対して、伝送信号に多重化された送信側表示制御信号と、受信側で形成される受信側表示制御信号とを選択的に供給するようにしたことにより、視聴者の興味や制作者の意図を反映した画面の表示を行うことができるようになった。
【図面の簡単な説明】
【図１】本発明の適用される受信装置の一例の構成図である。
【図２】その表示の一例の説明のための図である。
【図３】その表示の他の例の説明のための図である。
【図４】表示のさらに他の例の説明のための図である。
【図５】表示のさらに他の例の説明のための図である。
【図６】従来の受信装置の説明のための構成図である。
【図７】その表示の説明のための図である。
【符号の説明】
２  復調器
３  制御信号の入力端子
４  制御回路
６〜９  復号器
１０〜１３  画素変換回路
１５  合成回路
【図１】
0003591036.tif 000002
【図２】
0003591036.tif 000003
【図３】
0003591036.tif 000004
【図４】
0003591036.tif 000005
【図５】
0003591036.tif 000006
【図６】
0003591036.tif 000007
【図７】
0003591036.tif 000008